【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
複数の画像ベクトルを含んでいる画像の中の不均一回転ゆがみ（ＮＵＲＤ）を低減する方法であって、各画像ベクトルがテクスチャを有し、かつ、各画像ベクトルが上記画像中に、ある角度でマッピングされていて、該方法が、
各画像ベクトルについて方位角方向のテクスチャの平均周波数を計算するステップと、
各画像ベクトルについての平均周波数に基づいて、各画像ベクトルのための角度を推算するステップと、
各画像ベクトルを、各画像ベクトルのための推算された角度で再マッピングするステップとを含んでいる方法。
【請求項２】
各画像ベクトルが複数の画素を含み、各画素が、ある画像深さで反射されたエコーパルスの振幅をあらわしている、請求項１に記載の方法。
【請求項３】
各画像ベクトルについての平均周波数を計算するステップが、さらに、
各画像ベクトル中の各画素についてのテクスチャの平均周波数を計算するステップと、
各画像ベクトル中の画素についての平均周波数の平均を計算するステップとを含んでいる、請求項２に記載の方法。
【請求項４】
各画素についての平均周波数を計算するステップが、さらに、
各画素のまわりのフーリエ変換を実行するステップと、
各画素についてのフーリエ変換の平均を計算するステップとを含んでいる、請求項３に記載の方法。
【請求項５】
各画像ベクトルのための角度を推算するステップが、さらに、
すべての画像ベクトルについての平均周波数の積分を計算するステップと、
上記積分を、予め設定された値に対して標準化するステップと、
各画像ベクトルにおいて、標準化された積分の値に基づいて、各画像ベクトルのための角度を推算するステップとを含んでいる、請求項１に記載の方法。
【請求項６】
予め設定された値が２πラジアンである、請求項５に記載の方法。
【請求項７】
各画像ベクトルのための角度を推算するステップが、さらに、
すべての画像ベクトルについての平均周波数の積分を計算するステップと、
上記積分を、予め設定された値に対して標準化するステップと、
各画像ベクトルにおいて、標準化された積分の値に基づいて、各画像ベクトルのための角度を推算するステップとを含んでいる、請求項３に記載の方法。
【請求項８】
予め設定された値が２πラジアンである、請求項７に記載の方法。
【請求項９】
プロセッサによって使用可能な媒体を含んでいるコンピュータプログラム製品であって、上記媒体が、プロセッサによって実行されたときに該プロセッサに、画像中の不均一回転ゆがみ（ＮＵＲＤ）を低減する方法を実行させる一連の命令を含んでいて、該コンピュータプログラム製品が、
各々がテクスチャを有するとともに画像中にある角度でマッピングされた複数の画像ベクトルを含んでいる入力画像を受け取るための命令と、
上記入力画像中の各画像ベクトルについて方位角方向のテクスチャの平均周波数を計算するための命令と、
各画像ベクトルについての平均周波数に基づいて、各画像ベクトルのための角度を推算するための命令と、
各画像ベクトルを、各画像ベクトルのための推算された角度で再マッピングすることにより、出力画像を生成するための命令とを含んでいるコンピュータプログラム製品。
【請求項１０】
各画像ベクトルが複数の画素を含み、各画素が、ある画像深さで反射されたエコーパルスの振幅をあらわしている、請求項９に記載のコンピュータプログラム製品。
【請求項１１】
各画像ベクトルについての平均周波数を計算するための命令が、さらに、
各画像ベクトル中の各画素についてのテクスチャの平均周波数を計算するための命令と、
各画像ベクトル中の画素についての平均周波数の平均を計算するための命令とを含んでいる、請求項１０に記載のコンピュータプログラム製品。
【請求項１２】
各画素についての平均周波数を計算する命令が、
各画素のまわりの画像についてのフーリエ変換を実行するための命令と、
各画素についてのフーリエ変換の平均を計算するための命令とを含んでいる、請求項１１に記載のコンピュータプログラム製品。
【請求項１３】
各画像ベクトルのための角度を推算するための命令が、さらに、
すべての画像ベクトルについての平均周波数の積分を計算するための命令と、
上記積分を、予め設定された値に対して標準化するための命令と、
各画像ベクトルにおいて、標準化された積分の値に基づいて、各画像ベクトルのための角度を推算するための命令とを含んでいる、請求項９に記載のコンピュータプログラム製品。
【請求項１４】
予め設定された値が２πラジアンである、請求項１３に記載のコンピュータプログラム製品。
【請求項１５】
（ａ）プロセッサと、
（ｂ）医学画像を生成するために用いるプロセッサのためのデータを受け取るインターフェースと、
（ｃ）プロセッサによって使用可能な媒体であって、プロセッサによって実行されたときに該プロセッサに、不均一回転ゆがみ（ＮＵＲＤ）が低減された医学画像を生成させる方法を実行させる一連の命令を含んでいる媒体とを含んでいる医学画像システムであって、上記媒体が、
（ｉ）各々がテクスチャを有するとともに画像中に、ある角度でマッピングされた複数の画像ベクトルを含んでいる入力画像を受け取るための命令と、
（ｉｉ）上記入力画像中の各画像ベクトルについて方位角方向のテクスチャの平均周波数を計算するための命令と、
（ｉｉｉ）各画像ベクトルについての平均周波数に基づいて、各画像ベクトルのための角度を推算するための命令と、
（ｉｖ）各画像ベクトルを、各画像ベクトルのための推算された角度で再マッピングすることにより、出力画像を生成するための命令とを含んでいる医学画像システム。
【請求項１６】
出力画像を表示するためのディスプレイをさらに含んでいる、請求項１５に記載の医学画像システム。
【請求項１７】
出力画像を印刷するためのプリンタをさらに含んでいる、請求項１５に記載の医学画像システム。
【請求項１８】
カテーテルと、
上記カテーテルに取り付けられた超音波トランスデューサであって、モータによって回転させられ、超音波を放射するとともに反射した超音波を受け入れ、反射した超音波を上記インターフェースに送る超音波トランスデューサとをさらに含んでいる、請求項１５に記載の医学画像システム。
【請求項１９】
各画像ベクトルが複数の画素を含み、各画素が、ある画像深さで反射されたエコーパルスの振幅をあらわしている、請求項１５に記載の医学画像システム。
【請求項２０】
各画像ベクトルについての平均周波数を計算するための命令が、さらに、
各画像ベクトル中の各画素についてのテクスチャの平均周波数を計算するための命令と、
各画像ベクトル中の画素についての平均周波数の平均を計算するための命令とを含んでいる、請求項１９に記載の医学画像システム。
【請求項２１】
各画素についての平均周波数を計算するための命令が、
各画素のまわりの画像についてのフーリエ変換を実行するための命令と、
各画素についてのフーリエ変換の平均を計算するための命令とを含んでいる、請求項２０に記載の医学画像システム。
【請求項２２】
各画像ベクトルのための角度を推算するための命令が、さらに、
すべての画像ベクトルについての平均周波数の積分を計算するための命令と、
上記積分を、予め設定された値に対して標準化するための命令と、
各画像ベクトルにおいて、標準化された積分の値に基づいて、各画像ベクトルのための角度を推算するための命令とを含んでいる、請求項１５に記載の医学画像システム。
【請求項２３】
予め設定された値が２πラジアンである、請求項２２に記載の医学画像システム。